(57)【要約】  複数のサブキャリアを含む直交周波数分割多重（ＯＦＤＭ）信号内に含まれる周波数偏移キーイング（ＦＳＫ）信号を生成する方法が開示される。ＦＳＫ信号はＦＳＫシンボルを含み、各ＦＳＫシンボルは対応するＦＳＫシンボル周波数を有する。方法は、近接するサブキャリアのセットをＦＳＫ信号の送信に割り当てること（３１０）（セットは複数のサブキャリアのサブセットである）、および各ＦＳＫシンボル周波数を近接するサブキャリアのセット内の対応するサブキャリアに関連付けることを含む。方法は、送信されるべき各ＦＳＫシンボル（２０１、２０２、２０３）について、送信されるべきＦＳＫシンボル（２０２）の始端（２５２）におけるＦＳＫ信号位相が、直前のＦＳＫシンボル（２０１）の終端（２５１）におけるＦＳＫ信号位相に関して位相差基準に合致するように、ＦＳＫシンボル位相を選択すること（３３０）も含む。方法は、選択されたＦＳＫシンボル位相に基づいてＦＳＫシンボル周波数に対応するサブキャリアを変調すること、および、セットの残りのサブキャリアをミュートすることによって、送信されるべきＦＳＫシンボルを含むＦＳＫ信号を生成すること（３４０）をさらに含む。対応する装置、アクセスポイント、およびコンピュータプログラム製品も開示される。【選択図】図３
2020518176.tif 000002
【特許請求の範囲】
【請求項１】
複数のサブキャリアを含む直交周波数分割多重（ＯＦＤＭ）信号内に含まれる周波数偏移キーイング（ＦＳＫ）信号を生成する方法であって、前記ＦＳＫ信号はＦＳＫシンボルを含み、各ＦＳＫシンボルは対応するＦＳＫシンボル周波数を有し、前記方法は、
近接するサブキャリアのセットを前記ＦＳＫ信号の送信に割り当てること（３１０）であって、前記セットは前記複数のサブキャリアのサブセットである、割り当てること（３１０）、および各ＦＳＫシンボル周波数を前記近接するサブキャリアのセット内の対応するサブキャリアに関連付けること、
送信されるべき各ＦＳＫシンボル（２０１、２０２、２０３）について、送信されるべき前記ＦＳＫシンボル（２０２）の始端（２５２）におけるＦＳＫ信号位相が、直前のＦＳＫシンボル（２０１）の終端（２５１）における前記ＦＳＫ信号位相に関して位相差基準に合致するように、ＦＳＫシンボル位相を選択すること（３３０）、ならびに
前記選択されたＦＳＫシンボル位相に基づいて前記ＦＳＫシンボル周波数に対応する前記サブキャリアを変調すること、および、前記セットの残りのサブキャリアをミュートすることによって、送信されるべき前記ＦＳＫシンボルを含む前記ＦＳＫ信号を生成すること（３４０）、
を含む、方法。
【請求項２】
前記位相差基準は、絶対位相差が位相差閾値よりも小さいことを含み、前記絶対位相差は、送信されるべき前記ＦＳＫシンボルの前記始端における前記ＦＳＫ信号位相と、前記直前のＦＳＫシンボルの前記終端における前記ＦＳＫ信号位相との間で決定される、請求項１に記載の方法。
【請求項３】
前記ＦＳＫシンボル位相を選択することは、位相偏移キーイング（ＰＳＫ）信号コンステレーションの位相を選択することを含み、前記選択された位相と前記直前のＦＳＫシンボルの前記終端における前記ＦＳＫ信号位相との間の絶対位相差は、前記ＰＳＫ信号コンステレーションの任意の他の位相と前記直前のＦＳＫシンボルの前記終端における前記ＦＳＫ信号位相との間の絶対位相差よりも小さい、請求項１または２に記載の方法。
【請求項４】
前記位相差基準は、送信されるべき前記ＦＳＫシンボルの前記始端における前記ＦＳＫ信号位相が、前記直前のＦＳＫシンボルの前記終端における前記ＦＳＫ信号位相に等しいことを含む、請求項１に記載の方法。
【請求項５】
前記ＦＳＫシンボル位相を選択することは、選択されるべき前記ＦＳＫシンボル位相を、前記対応するＦＳＫシンボル周波数によって、送信されるべき前記ＦＳＫシンボルの前記始端における前記ＦＳＫ信号位相に関係付けることを含む、請求項１から４のいずれか一項に記載の方法。
【請求項６】
前記ＦＳＫシンボル位相を選択することは、選択されるべき前記ＦＳＫシンボル位相を、前記ＯＦＤＭ信号のサイクリックプレフィックス（２２１）の持続時間（２４１）と、前記サイクリックプレフィックスのない前記ＯＦＤＭ信号のＯＦＤＭシンボル（２２２）の持続時間（２４２）との間の比率によって、送信されるべき前記ＦＳＫシンボルの前記始端における前記ＦＳＫ信号位相に関係付けることを含む、請求項１から５のいずれか一項に記載の方法。
【請求項７】
前記ＦＳＫシンボル位相を選択することは、選択されるべき前記ＦＳＫシンボル位相を、送信されるべき前記ＦＳＫシンボルの前記始端における前記ＦＳＫ信号位相に補償タームを加えたものと等しくさせることを含み、前記補償タームは、前記比率、および前記ＦＳＫシンボル周波数と前記近接するサブキャリアのセットの中心周波数との間の差に基づく、請求項６に記載の方法。
【請求項８】
前記ＦＳＫ信号は、ガウスＦＳＫ信号を受信するように設定された受信器への送信のためのものである、請求項１から７のいずれか一項に記載の方法。
【請求項９】
前記ＦＳＫ周波数は、Ｂｌｕｅｔｏｏｔｈ  Ｌｏｗ  Ｅｎｅｒｇｙ規格に準拠する周波数に対応する、請求項１から８のいずれか一項に記載の方法。
【請求項１０】
プログラム命令を含むコンピュータプログラムを有する、コンピュータ可読媒体を含むコンピュータプログラム製品であって、前記コンピュータプログラムは、データ処理ユニットにロード可能であり、前記コンピュータプログラムが前記データ処理ユニットによって実行されるとき、請求項１から９のいずれか一項に記載の方法を実行させるように設定される、コンピュータプログラム製品。
【請求項１１】
複数のサブキャリアを含む直交周波数分割多重（ＯＦＤＭ）信号に含まれる周波数偏移キーイング（ＦＳＫ）信号の生成のための、直交周波数分割多元接続（ＯＦＤＭＡ）送信器のための装置であって、前記ＦＳＫ信号はＦＳＫシンボルを含み、各ＦＳＫシンボルは対応するＦＳＫシンボル周波数を有し、前記装置は、
近接するサブキャリアのセットを前記ＦＳＫ信号の送信に割り当てることであって、前記セットは前記複数のサブキャリアのサブセットである、割り当てること、および各ＦＳＫシンボル周波数を前記近接するサブキャリアのセット内の対応するサブキャリアに関連付けること、
送信されるべき各ＦＳＫシンボルについて、送信されるべき前記ＦＳＫシンボルの始端におけるＦＳＫ信号位相が、直前のＦＳＫシンボルの終端における前記ＦＳＫ信号位相に関して位相差基準に合致するように、ＦＳＫシンボル位相を選択すること、ならびに
前記ＦＳＫシンボル位相に基づく前記ＦＳＫシンボル周波数に対応する前記サブキャリアの変調、および、前記セットの残りのサブキャリアをミュートすることによって、送信されるべき前記ＦＳＫシンボルを含む前記ＦＳＫ信号を生成すること、
を実行させるように設定された、コントローラ（４２０）を含む、
装置。
【請求項１２】
前記位相差基準は、絶対位相差が位相差閾値よりも小さいことを含み、前記絶対位相差は、送信されるべき前記ＦＳＫシンボルの前記始端における前記ＦＳＫ信号位相と、前記直前のＦＳＫシンボルの前記終端における前記ＦＳＫ信号位相との間で決定される、請求項１１に記載の装置。
【請求項１３】
前記コントローラは、位相偏移キーイング（ＰＳＫ）信号コンステレーションの位相を選択させることによって、前記ＦＳＫシンボル位相を選択させるように設定され、前記選択された位相と、前記直前のＦＳＫシンボルの前記終端における前記ＦＳＫ信号位相との間の絶対位相差は、前記ＰＳＫ信号コンステレーションの任意の他の位相と、前記直前のＦＳＫシンボルの前記終端における前記ＦＳＫ信号位相との間の絶対位相差よりも小さい、請求項１１または１２に記載の装置。
【請求項１４】
前記位相差基準は、送信されるべき前記ＦＳＫシンボルの前記始端における前記ＦＳＫ信号位相が、前記直前のＦＳＫシンボルの前記終端における前記ＦＳＫ信号位相に等しいことを含む、請求項１１に記載の装置。
【請求項１５】
前記ＦＳＫ周波数は、Ｂｌｕｅｔｏｏｔｈ  Ｌｏｗ  Ｅｎｅｒｇｙ規格に準拠する周波数に対応する、請求項１１から１４のいずれか一項に記載の装置。
【請求項１６】
請求項１１から１５のいずれか一項に記載の前記装置を含む、直交周波数分割多元接続（ＯＦＤＭＡ）送信器。
【請求項１７】
請求項１６に記載の前記ＯＦＤＭＡ送信器または請求項１１から１６のいずれか一項に記載の前記装置を含む、アクセスポイント。
【発明の詳細な説明】
【技術分野】
【０００１】
本開示は、一般に無線通信の分野に関する。より詳細には、本開示は、直交周波数分割多重（ＯＦＤＭ）信号に含まれる周波数偏移キーイング（ＦＳＫ）信号の生成に関する。
【背景技術】
【０００２】
モノのインターネット（ＩｏＴ）によって、接続される無線デバイスの数が著しく増加することが予想される。数多くのデバイス、たとえば電子レンジなどの家庭用電化製品は、およそ２．４ＧＨｚの周波数で動作する。これらのデバイスからの電磁放射は、同じ周波数付近で動作する近くの無線通信デバイスとの干渉を発生させるリスクがある。無線通信を意図していないデバイスからの干渉を回避するために、国際協定を介して、ある周波数バンドが無線通信用に確保されている。確保された周波数バンドの使用はライセンスを用いて規制され、これが、これらのバンドがしばしばライセンスバンドと呼ばれる理由である。同様に、確保されていないバンド、したがってライセンスを用いて規制されていないバンドはアンライセンスバンドと呼ばれる。２．４ＧＨｚバンドにおける産業科学医療用（ＩＳＭ）バンドは、アンライセンスバンドの一例である。
【０００３】
大多数のＩｏＴデバイスは、アンライセンスバンド、特に２．４ＧＨｚのＩＳＭバンド内で動作する可能性が高い。同時に、従来、ライセンスバンド内でサポートされてきたサービスにアンライセンスバンドを使用する需要も増加している。後者の例として、従来、ライセンスバンドのみのための規格を策定する３ＧＰＰは、現在では、５ＧＨｚのアンライセンスバンド内で動作する、ロングタームエボリューション（ＬＴＥ）のバージョンも策定している。
【０００４】
ＩｏＴサービスで優位を占めることが予想される技術は、ブルートゥース無線技術、特に、Ｂｌｕｅｔｏｏｔｈ  Ｌｏｗ  Ｅｎｅｒｇｙ（ＢＬＥ）、およびＩＥＥＥ８０２．１１の将来のバージョン、８０２．１１ａｘなどである。ＩＥＥＥ８０２．１１に関して、少なくともある程度８０２．１１ａｘに基づく、ＩｏＴをサポートするために適したモードを標準化するよう努力されることが予想できる。
【０００５】
ＩｏＴの適用例は、ほとんどの場合、たとえばファイルダウンロードおよびビデオストリーミングなどの適用例に比べて、異なる要件および特徴を有することが予見される。具体的に言えば、ＩｏＴ適用例は、典型的には低データレートのみを必要とし、単一パケット内で送信されるデータの量は、多くの場合数バイトのみであり得る。加えて、多くのデバイス間での送信は非常に稀であり、たとえば、１時間に１回またはしばしばそれ以下である。しかしながら、ＩｏＴデバイスの数は大量であることが予想され、これは、デバイスの各々へのデータの量は少ないが、アグリゲートされるＩｏＴデータは依然としてかなりの量であり得ることを意味する。
【０００６】
ＩｏＴ適用例を使用する多くのケースは通常の家庭内に見出され、様々なセンサ、アクチュエータなどに関係する可能性がある。したがって、要求されるカバレッジの要件は、たとえば通常、セルラシステムによって達成可能な要件よりも大幅に少ない。他方で、たとえばブルートゥースまたはＩＥＥＥ８０２．１１ｂ／ｇ／ｎ／ａｃによって取得可能なカバレッジでは十分でない可能性がある。これは、特に、デバイスのうちの１つが屋外にあり、他方のデバイスが屋内にある場合、デバイス間に侵入損失の高い外壁が存在するため、当てはまる可能性がある。
【０００７】
ブルートゥース無線技術およびＩＥＥＥ８０２．１１の現行バージョンの欠点に起因して、これらの標準化機関はどちらも、カバレッジを大幅に増加させる新しいバージョンに取り組んでいる。
【０００８】
通信リンクのレンジを増加させるための単純な手法は、使用されるビットレートを減少させることである。必要に迫られてビットレートを減少させることは、あるサイズのパケットを送信するのにより長い時間がかかることを意味する。この副作用として、チャネルはより長い時間占有されることになる。次に、同じチャネルを多数のデバイスが共有することで、この共有が効率的に実行されない場合、チャネルは輻輳する可能性がある。長いパケットを必要とすることおよびユーザ数の増加は、この輻輳をさらに顕著にすることにつながる。
【０００９】
さらに、同じチャネルを介して送信される非ＩｏＴデータ、たとえばデータダウンロードおよびビデオストリーミングの量も増加する可能性がある。これは、ＩｏＴ適用例および非ＩｏＴ適用例の両方にとって良好なパフォーマンスを得るために、好ましくは何らかの調整を行うべきであることを示唆している。現在、高データレートの適用例、およびセンサなどの非常に低コストのＩｏＴ適用例の両方を効果的にサポートする、単一の標準は存在しない。前者にとっての主な標準はＩＥＥＥ８０２．１１、たとえば８０２．１１ｎおよび８０２．１１ａｃであり、後者にとっての主な標準はＢｌｕｅｔｏｏｔｈ  Ｌｏｗ  Ｅｎｅｒｇｙである。したがって、２つのシステムは典型的には並列に、および好ましくは同期された形で動作する必要がある。
【００１０】
こうした調整を行うための明白な、またおそらく最も簡単なやり方は、システム間でのタイムシェアリングによるものである。たとえば、所定の方式に従ってデータを送信または受信することが可能なタイムスロットが、各システムに割り当てられる。これは一般に、時分割多重（ＴＤＭ）と呼ばれる。次にこのシステムは、特定のシステムに割り当てられた各タイムスロットにおいて、たとえば、タイムシェアリングを実装する一般的なやり方である時分割複信（ＴＤＤ）を使用することが可能であり、ユーザにはアップリンクおよびダウンリンク送信のためのタイムスロットが割り当てられる。ＴＤＤの主な理由は、周波数分割複信（ＦＤＤ）が採用される場合に必要な、コストのかかる二重フィルタを必要としない低コストの実装が可能なことである。しかしながら、ＩｏＴシステムのデータレートが個々のリンクについて非常に低速であるため、システム間で時間を共有するためにＴＤＭを使用して良好なスペクトル効率を得ることは困難な可能性が高い。
【００１１】
代わって、２つのシステム、すなわちＩｏＴシステムおよび非ＩｏＴシステムの両方が同時に動作可能であれば好ましい。これを達成するための１つの手段は、非ＩｏＴシステムが直交周波数分割多重（ＯＦＤＭ）に基づく場合であり得る。ＯＦＤＭを使用する手法は、１つまたは複数のサブキャリアをＩｏＴシステムに割り当て、残りのＩｏＴシステムを非ＩｏＴシステムに割り当てることによって、同時動作が達成可能であるため、概念上単純である。このようにして、ＩｏＴシステムに割り振られるサブキャリアの数はかなり柔軟にすることができる。
【００１２】
たとえば、マルチキャリア信号を複数の異なる受信器に送信するように、マルチ変調送信器を設定することが可能であり、受信器のうちの少なくとも１つは、直交周波数分割多重（ＯＦＤＭ）以外の変調方式を使用する受信器である。マルチ変調送信器は、異なる受信器のそれぞれの変調方式に従って、異なる受信器をターゲットとするデータを相互に直交するサブキャリア信号にマッピングするように設定された、データマッピングユニットを含むことができる。マルチ変調送信器は、相互に直交するサブキャリア信号を時間領域においてマルチキャリア信号に変換するように設定された、逆高速フーリエ変換（ＩＦＦＴ）ユニットも含むことができる。マルチ変調送信器は、マルチキャリア信号内に所定のサイクリックプレフィックスを挿入するように設定されたサイクリックプレフィックスユニットを、さらに含むことができる。加えて、マルチ変調送信器は、マルチキャリア信号を複数の異なる受信器に送信するように設定された無線ユニットを含むことができる。提案される送信器は、一方は高データレートを送信および受信することが可能であり、他方は大幅に低いデータレートを送信および受信することのみが可能である、異なるタイプの無線デバイスの同時使用をサポートする、ネットワークノード（アクセスポイント）を実行可能にすることができる。
【００１３】
典型的なシナリオにおいて、ＩｏＴデバイスは、ガウス周波数偏移キーイング（ＧＦＳＫ）に基づき、ブルートゥース無線技術に従って送信される信号を受信するように適合可能である。ＧＦＳＫは、極端にコスト効率の高い実装を可能にする定包絡線変調である。受信器側では単純な制限受信器が使用可能であり、すなわち、アナログ−デジタル変換器（ＡＤＣ）を単純な比較器に交換することが可能であり、本質的に受信器内に自動利得制御（ＡＧＣ）は必要がなくなり、さらに実装を単純化し、コストを削減することになる。さらにより重要であるのは、送信器側の利得である。ＧＦＳＫが定包絡線であることに起因して、電力増幅器（ＰＡ）をバックオフする必要性がかなり減少し、ＰＡの直線性要件は大幅に厳しくなくなるため、著しく高い電力効率を得ることができる。センサなどのＩｏＴデバイスはコイン電池によって電力供給することができるため、電力効率が主要な特徴の１つであることは非常に重要である。
【００１４】
上記の例示的なマルチ変調送信器は、こうしたシナリオにおいて、ＧＦＳＫ受信に適合されたＩｏＴデバイスへ送信するように周波数偏移キーイング（ＦＳＫ）を適用することができる。しかしながら、生成される信号がＧＦＳＫではないという事実は、ＩＦＦＴ生成ＦＳＫ信号が、ＩｏＴデバイス内のチャネル選択フィルタによってフィルタリングされた場合の適当なＧＦＳＫ信号よりも歪曲することになるという点において、ＧＦＳＫ復調器内に何らかの影響を与えることになる。加えて、ＩＦＦＴ生成ＦＳＫ信号のより広いスペクトルも、近接チャネル内に追加の干渉を発生させることになり得る。
【００１５】
したがって、直交周波数分割多重（ＯＦＤＭ）信号に含まれる周波数偏移キーイング（ＦＳＫ）信号を生成するための代替手法が求められている。好ましくは、こうした手法は、ＯＦＤＭ信号に含まれないＧＦＳＫ信号の生成に比べて、こうした生成によって生じる歪みを最小限にするか、または少なくとも軽減する。
【発明の概要】
【００１６】
「含む／含んでいる」という用語は、本明細書で使用される場合、明言される特徴、整数、ステップ、または構成要素の存在を指定するために採用されるが、１つまたは複数の特徴、整数、ステップ、構成要素、またはそれらのグループの存在または追加を除外するものではないことに留意されたい。本明細書で使用される場合、単数形「ａ」、「ａｎ」、および「ｔｈｅ」は、文脈が特段明白に示していない限り、複数形も同様に含むことが意図される。
【００１７】
本明細書では、ＩｏＴデバイスおよび適用例ならびに通信からの様々な標準に言及することになる。こうした言及は単なる例示的なものであり、決して限定的なものではないことに留意されたい。これに反して、実施形態は、ＦＳＫ信号がＯＦＤＭ信号に含まれるものとして生成されるいかなるシナリオにも、等しく適用可能であり得る。
【００１８】
いくつかの実施形態の目的は、上記または他の欠点のうちの少なくともいくつかを解決、または軽減、緩和、あるいは除去することである。
【００１９】
第１の態様によれば、これは、複数のサブキャリアを含む直交周波数分割多重（ＯＦＤＭ）信号内に含まれる周波数偏移キーイング（ＦＳＫ）信号を生成する方法によって達成される。ＦＳＫ信号はＦＳＫシンボルを含み、各ＦＳＫシンボルは対応するＦＳＫシンボル周波数を有する。
【００２０】
方法は、近接するサブキャリアのセットをＦＳＫ信号の送信に割り当てることを含み、セットは複数のサブキャリアのサブセットであり、また、各ＦＳＫシンボル周波数を近接するサブキャリアのセット内の対応するサブキャリアに関連付けることを含む。
【００２１】
方法は、送信されるべきＦＳＫシンボルの始端におけるＦＳＫ信号位相が、直前のＦＳＫシンボルの終端におけるＦＳＫ信号位相に関して位相差基準に合致するように、ＦＳＫシンボル位相を（送信されるべき各ＦＳＫシンボルについて）選択することも含む。
【００２２】
方法は、選択されたＦＳＫシンボル位相に基づいてＦＳＫシンボル周波数に対応するサブキャリアを変調すること、および、セットの残りのサブキャリアをミュートすることによって、送信されるべきＦＳＫシンボルを含むＦＳＫ信号を生成することをさらに含む。
【００２３】
一般に、ＦＳＫ信号位相は時間の関数である。ＦＳＫシンボル位相は、典型的には、ＯＦＤＭ信号のシンボルのサイクリックプレフィックスの終端に対応する時点におけるＦＳＫ信号位相に等しい。
【００２４】
いくつかの実施形態によれば、方法は、ＯＦＤＭ信号を送信することをさらに含むことができる。
【００２５】
近接するサブキャリアのセットは、いくつかの実施形態による、ＯＦＤＭ信号の１つまたは複数のリソースユニット（ＲＵ）に対応することができる。
【００２６】
いくつかの実施形態において、ＦＳＫシンボル位相を選択することは、ＦＳＫ信号内の初期ＦＳＫシンボルについてデフォルトまたはランダムなＦＳＫシンボル位相を選択することを含むことができる。
【００２７】
いくつかの実施形態によれば、選択されたＦＳＫシンボル位相に基づいてＦＳＫシンボル周波数に対応するサブキャリアを変調することは、逆高速フーリエ変換（ＩＦＦＴ）変調器の入力を、選択されたＦＳＫシンボル位相を有する複素数とすることを含むことができ、入力は、ＦＳＫシンボル周波数に対応するサブキャリアのためのものである。いくつかの実施形態において、ＦＳＫシンボルは複素数を介して明示されるＦＳＫシンボル振幅を有することができる。
【００２８】
いくつかの実施形態によれば、セットの残りのサブキャリアをミュートすることは、逆高速フーリエ変換（ＩＦＦＴ）変調器の入力をゼロに等しくすることを含むことができ、入力は、ＦＳＫシンボル周波数に対応しないセットのサブキャリアのためのものである。
【００２９】
いくつかの実施形態によれば、位相差基準は、絶対位相差が位相差閾値よりも小さいことを含むことができ、絶対位相差は、送信されるべきＦＳＫシンボルの始端におけるＦＳＫ信号位相と、直前のＦＳＫシンボルの終端におけるＦＳＫ信号位相との間で決定される。
【００３０】
いくつかの実施形態において、帯域外放出は位相差基準のパラメータとすることができる。たとえば、位相差基準は、絶対位相差は位相差閾値よりも小さいことを含むことができ、位相差閾値の値は、帯域外放出（たとえば、スペクトルマスク）の許容レベルに依存する。
【００３１】
ＦＳＫシンボル位相を選択することは、いくつかの実施形態において、位相偏移キーイング（ＰＳＫ）信号コンステレーションの位相を選択することを含むことができ、選択された位相と直前のＦＳＫシンボルの終端におけるＦＳＫ信号位相との間の絶対位相差は、ＰＳＫ信号コンステレーションの任意の他の位相と直前のＦＳＫシンボルの終端におけるＦＳＫ信号位相との間の絶対位相差よりも小さい。
【００３２】
いくつかの実施形態において、選択は、ＰＳＫ信号コンステレーションの任意の位相と、直前のＦＳＫシンボルの終端におけるＦＳＫ信号位相との間の、すべての絶対位相差を比較すること、および最も小さい絶対位相差に対応する位相を選択すること、を含むことができる。
【００３３】
ＰＳＫ信号コンステレーションは、たとえば、サイズ２、４、８、または１６を有することができる。一般に、上記の手法は純粋なＰＳＫ信号コンステレーションに限定されない。これに反して、異なる信号ポイントが異なる位相を有する任意の適切なコンステレーションが適切となる。
【００３４】
いくつかの実施形態によれば、位相差基準は、送信されるべきＦＳＫシンボルの始端におけるＦＳＫ信号位相が、直前のＦＳＫシンボルの終端におけるＦＳＫ信号位相に等しいことを含むことができる。
【００３５】
いくつかの実施形態において、ＦＳＫシンボル位相を選択することは、選択されるべきＦＳＫシンボル位相を、対応するＦＳＫシンボル周波数によって、送信されるべきＦＳＫシンボルの始端におけるＦＳＫ信号位相に関係付けることを含むことができる。
【００３６】
いくつかの実施形態において、ＦＳＫシンボル位相を選択することは、選択されるべきＦＳＫシンボル位相を、ＯＦＤＭ信号のサイクリックプレフィックスの持続時間と、サイクリックプレフィックスのないＯＦＤＭ信号のＯＦＤＭシンボルの持続時間との間の比率によって、送信されるべきＦＳＫシンボルの始端におけるＦＳＫ信号位相に関係付けることを含むことができる。
【００３７】
いくつかの実施形態によれば、ＦＳＫシンボル位相を選択することは、選択されるべきＦＳＫシンボル位相を、送信されるべきＦＳＫシンボルの始端におけるＦＳＫ信号位相に補償タームを加えたものと等しくさせることを含むことができ、補償タームは、比率、およびＦＳＫシンボル周波数と近接するサブキャリアのセットの中心周波数との間の差に基づく。
【００３８】
ＦＳＫ信号は、いくつかの実施形態によれば、ＦＳＫ信号を受信するように設定された受信器への送信のためのものとすることができる。いくつかの実施形態において、ＦＳＫ周波数は、Ｂｌｕｅｔｏｏｔｈ  Ｌｏｗ  Ｅｎｅｒｇｙ規格に準拠する周波数に対応することができる。次いで、Ｂｌｕｅｔｏｏｔｈ  Ｌｏｗ  Ｅｎｅｒｇｙ規格に従って動作するように設定された（したがって、ガウスＦＳＫ信号を受信するように適合された）受信器を、本明細書で説明する実施形態に従って生成されたＦＳＫ信号の受信のために使用することもできる。
【００３９】
ＦＳＫ周波数は、いくつかの実施形態による、Ｂｌｕｅｔｏｏｔｈ  Ｌｏｗ  Ｅｎｅｒｇｙ規格に準拠する周波数に対応することができる。
【００４０】
第２の態様は、プログラム命令を含むコンピュータプログラムを有する、コンピュータ可読媒体を含むコンピュータプログラム製品である。コンピュータプログラムは、データ処理ユニットにロード可能であり、コンピュータプログラムがデータ処理ユニットによって実行されるとき、第１の態様による方法を実行させるように設定される。
【００４１】
第３の態様は、複数のサブキャリアを含む直交周波数分割多重（ＯＦＤＭ）信号に含まれる周波数偏移キーイング（ＦＳＫ）信号の生成のための、直交周波数分割多元接続（ＯＦＤＭＡ）送信器のための装置である。ＦＳＫ信号はＦＳＫシンボルを含み、各ＦＳＫシンボルは対応するＦＳＫシンボル周波数を有する。
【００４２】
装置は、セットが複数のサブキャリアのサブセットである近接するサブキャリアのセットをＦＳＫ信号の送信に割り当てること、および各ＦＳＫシンボル周波数を近接するサブキャリアのセット内の対応するサブキャリアに関連付けること、を実行させるように設定されたコントローラを含む。
【００４３】
コントローラは、送信されるべき各ＦＳＫシンボルについて、送信されるべきＦＳＫシンボルの始端におけるＦＳＫ信号位相が、直前のＦＳＫシンボルの終端におけるＦＳＫ信号位相に関して位相差基準に合致するように、ＦＳＫシンボル位相を選択することを実行させるようにも設定される。
【００４４】
さらにコントローラは、ＦＳＫシンボル位相に基づくＦＳＫシンボル周波数に対応するサブキャリアの変調、および、セットの残りのサブキャリアをミュートすることによって、送信されるべきＦＳＫシンボルを含むＦＳＫ信号を生成することを実行させるように設定される。
【００４５】
割り当ては、いくつかの実施形態による、スケジューラによって実行可能である。選択は、いくつかの実施形態による、位相セレクタによって実行可能である。生成は、いくつかの実施形態による、信号生成器（たとえば、ＩＦＦＴ変調器）によって実行可能である。
【００４６】
いくつかの実施形態において、コントローラは、送信器によるＯＦＤＭ信号を送信することを実行させるように設定することもできる。
【００４７】
第４の態様は、複数のサブキャリアを含む直交周波数分割多重（ＯＦＤＭ）信号に含まれる周波数偏移キーイング（ＦＳＫ）信号の生成のための、直交周波数分割多元接続（ＯＦＤＭＡ）送信器のための装置である。ＦＳＫ信号はＦＳＫシンボルを含み、各ＦＳＫシンボルは対応するＦＳＫシンボル周波数を有する。
【００４８】
装置は、セットが複数のサブキャリアのサブセットである近接するサブキャリアのセットをＦＳＫ信号の送信に割り当てるように、および、各ＦＳＫシンボル周波数を近接するサブキャリアのセット内の対応するサブキャリアに関連付けるように設定された、スケジューラ（たとえば、スケジューリング回路要素）を含む。
【００４９】
装置は、送信されるべき各ＦＳＫシンボルについて、送信されるべきＦＳＫシンボルの始端におけるＦＳＫ信号位相が、直前のＦＳＫシンボルの終端におけるＦＳＫ信号位相に関して位相差基準に合致するように、ＦＳＫシンボル位相を選択するように設定された、セレクタ（たとえば、選択回路要素）も含む。
【００５０】
さらに装置は、ＦＳＫシンボル位相に基づくＦＳＫシンボル周波数に対応するサブキャリアの変調、および、セットの残りのサブキャリアをミュートすることによって、送信されるべきＦＳＫシンボルを含むＦＳＫ信号を生成するように設定された、信号生成器（たとえば、信号生成回路要素）を含む。
【００５１】
いくつかの実施形態において、装置は、ＯＦＤＭ信号を送信するように設定された送信器（たとえば、送信機回路要素）も含むことができる。
【００５２】
第５の態様は、第３または第４の態様のうちのいずれかの装置を含む、直交周波数分割多元接続（ＯＦＤＭＡ）送信器である。
【００５３】
第６の態様は、第５の態様のＯＦＤＭＡ送信器、あるいは第３または第４の態様のうちのいずれかの装置を含む、アクセスポイントである。
【００５４】
いくつかの実施形態において、上記態様のうちのいずれかは、追加として、他の態様のうちのいずれかについて上記で説明したような様々な特徴のうちのいずれかに一致するかまたは対応する特徴を有することができる。
【００５５】
ＯＦＤＭ信号に含まれるＦＳＫ信号を（たとえば、ＩＦＦＴ変調器を使用することによって）生成することは、ＦＳＫ信号がＯＦＤＭ信号の他の部分に対して直交するという利点を有する。いくつかの実施形態の利点は、本明細書に提示される実施形態のうちのいずれかを適用することのない、ＯＦＤＭ信号に含まれるＦＳＫ信号の生成に比べて、ＯＦＤＭに含まれるＦＳＫ信号を生成するときに、歪みが最小化、または少なくとも軽減されることである。
【００５６】
いくつかの実施形態の他の利点は、１つのＦＳＫシンボルから直後のＦＳＫシンボルへの転送において不連続性がないことである。いくつかの実施形態の利点は、こうした不連続性の有する絶対値が、本明細書に提示される実施形態が適用されない手法に比べて、低減されることである。
【００５７】
さらなる目的、特徴、および利点は、添付の図面に対する言及と共に、実施形態の下記の詳細な説明から明らかとなろう。図面は必ずしも一定の縮尺ではなく、例示的な実施形態を示すことに重点を置いている。
【図面の簡単な説明】
【００５８】
【図１】いくつかの実施形態による、例示のシナリオを示す概略図である。
【図２】いくつかの実施形態による、時間周波数グリッド内に例示のＦＳＫ信号を示す概略図である。
【図３】いくつかの実施形態による、例示の方法ステップを示すフローチャートである。
【図４】いくつかの実施形態による、例示の装置を示す概略ブロック図である。
【図５】いくつかの実施形態による、例示の送信器チェーンを示す概略ブロック図である。
【図６】いくつかの実施形態による、例示の利点を示すペアまたはプロットである。
【図７】いくつかの実施形態による、例示のコンピュータ可読媒体を示す概略図である。
【発明を実施するための形態】
【００５９】
本開示の実施形態を、添付の図面を参照しながら下記でより完全に説明および例示する。しかしながら、本明細書に開示されるソリューションは、多くの異なる形で具体化可能であり、本明細書に示される実施形態に限定されるものと解釈すべきではない。
【００６０】
下記において、ＦＳＫシンボルの始端における位相が、直前のＦＳＫシンボルの終端における位相に関して位相差基準に合致する（たとえば、等しいかまたはほぼ等しい）ように、送信されるべきＦＳＫシンボルの位相が選択される、実施形態を説明する。こうした手法の利点は、送信されるＦＳＫシンボル間の不連続性が最小化（または、少なくとも軽減）されることであり、これによって、こうした不連続性によって引き起こされる妨害（たとえば、帯域外放出、ＦＳＫ信号が受信されるときの復調器内の歪み、近接信号に対する干渉など）が最小化（または、少なくとも軽減）される。ＦＳＫ信号はその情報をシンボルの周波数内でのみ搬送するため、ＦＳＫシンボル位相の選択が、搬送される情報に影響を与えることはない。
【００６１】
選択手法は、ＯＦＤＭ信号に含まれるＦＳＫ信号の生成に関連して適用され、ＯＦＤＭ信号の近接するサブキャリアのセットがＦＳＫ信号の送信に割り当てられ、各ＦＳＫシンボル周波数は、近接するサブキャリアのセット内の対応するサブキャリアに関連付けられる。
【００６２】
図１は、いくつかの実施形態が適用可能な例示的シナリオを概略的に示す。このシナリオにおいて、アクセスポイント（ＡＰ）１００は、図に示されるように、それぞれ１１２、１２２において２つの異なる無線通信デバイス１１０、１２０に送信する。たとえば、無線通信デバイス１１０は、ＯＦＤＭ受信器を使用して信号を受信するように適合された非ＩｏＴデバイスとすることができ、無線通信デバイス１２０は、それほど複雑でない受信器（たとえば、ＧＦＳＫ受信器）を使用して信号を受信するように適合されたＩｏＴデバイスとすることができる。上記で説明するように、ＯＦＤＭ信号に含まれるＦＳＫ信号として、無線通信デバイス１２０を対象とした信号を生成することが望ましい場合があり、ＯＦＤＭ信号の少なくとも一部は無線通信デバイス１１０を対象とする。
【００６３】
したがって、図１に示されるシナリオにおいて、ＡＰ１００は、一方の１１０は高データレートの送受信が可能であり、他方の１２０はかなり低いデータレートのみを送受信可能である、２つの異なるタイプの無線通信デバイス（たとえば、ステーション（ＳＴＡ））をサポートするように設定されるものと想定することができる。たとえば、無線通信デバイス１１０はＩＥＥＥ８０２．１１ａｘに準拠し得、ＯＦＤＭを使用して２０ＭＨｚまたはそれ以上（たとえば、４０、８０、または１６０ＭＨｚ）の信号を送受信することが可能である一方で、無線通信デバイス１２０はＢｌｕｅｔｏｏｔｈ  Ｌｏｗ  Ｅｎｅｒｇｙ（ＢＬＥ）に準拠し得、ガウス周波数偏移キーイング（ＧＦＳＫ）を使用して送受信することが可能である。無線通信デバイス１２０を対象とするＦＳＫ信号のＦＳＫ周波数がＢｌｕｅｔｏｏｔｈ  Ｌｏｗ  Ｅｎｅｒｇｙ規格に準拠する周波数に対応するとき、無線通信デバイス１２０のＢＬＥ受信器は、ＦＳＫ信号の受信のためにも使用可能である。
【００６４】
図２は、いくつかの実施形態による、ＯＦＤＭ信号に含まれる例示のＦＳＫ信号を概略的に示す。信号は、時間周波数グリッド（ｔ／ｆ）に関して示される。
【００６５】
ＯＦＤＭ信号は、複数のサブキャリア、２３１、２３２、２３３を含み、近接するサブキャリアのセット２３０がＦＳＫ信号の送信に割り当てられる。この例において、ＦＳＫ信号は２進ＦＳＫ信号であり、２つのＦＳＫシンボル周波数の各々は、近接するサブキャリアのセット２３０内の対応するサブキャリア２３２、２３３に関連付けられる。
【００６６】
図２に示される例において、第１のＦＳＫシンボル２０１は第１の値（たとえば、論理「０」を表す）を有し、第２および第３のＦＳＫシンボル２０２、２０３は第２の値（たとえば、論理「１」を表す）を有する。シンボル境界では、１つのＦＳＫシンボルから次へ（たとえば、２０１から２０２へ）遷移するときに、不連続性が存在する場合がある。本明細書で開示される実施形態は、こうした不連続性を最小化（または少なくとも軽減）するような、送信されるべき各ＦＳＫシンボル（２０１、２０２、２０３）の位相の選択を提示する。たとえば、ＦＳＫシンボル２０２の位相は、ＦＳＫシンボル２０２の始端２５２における位相が、直前のＦＳＫシンボル２０１の終端２５１における位相に関して位相差基準に合致するように選択することができる。
【００６７】
ＦＳＫ信号の送信に割り当てられないサブキャリアを占有する、ＯＦＤＭ信号の従来の部分は、斜めのストライプ状の時間周波数占有によって示される。周知のように、ＯＦＤＭシンボル２４０の各サブキャリア部分は、典型的にはあるシンボル長さ（または持続時間）２４２のシンボル部分２２２およびあるサイクリックプレフィックス長さ（または持続時間）２４１のサイクリックプレフィックス部分２２１を有する。
【００６８】
ＯＦＤＭ信号はサイクリックプレフィックスを含むため、および、ＦＳＫ信号はＯＦＤＭ信号に含まれるものとして生成されるため、従来のＯＦＤＭ信号と同じ信号変調器を使用して、ＦＳＫシンボルの位相の選択は、非連続性の最小化（または、少なくとも軽減）を達成するために、ＦＳＫシンボル周波数を表すサブキャリアをどのように変調するかを決定することを含む。典型的には、選択されたＦＳＫシンボルの位相を使用して、ＦＳＫシンボル周波数を表すサブキャリアを変調することが可能であり、選択されたＦＳＫシンボルの位相は、ＦＳＫシンボルの始端における位相とは異なる（が、依存する）ことが可能である。
【００６９】
図３は、いくつかの実施形態による、例示的方法３００を示すフローチャートである。方法は、図２に例示されるように、複数のサブキャリアを含むＯＦＤＭ信号に含まれるＦＳＫ信号（ＦＳＫシンボルを含み、各ＦＳＫシンボルは対応するＦＳＫシンボル周波数を有する）を生成するためのものである。
【００７０】
方法は、ステップ３１０で開始され、ＯＦＤＭ信号の近接するサブキャリアのセットが（図２の２３０に比べて）ＦＳＫ信号の送信に割り当てられ、各ＦＳＫシンボル周波数は（図２の２３２および２３３に比べて）近接するサブキャリアのセット内の対応するサブキャリアに関連付けられる。典型的には、近接するサブキャリアのセットはＯＦＤＭ信号のリソースユニット（ＲＵ）に対応することが可能であり、ＦＳＫシンボル周波数は、ＲＵ内に均等に分散する対応するサブキャリアに関連付けることが可能である。たとえば、２進ＦＳＫが適用される場合、対応するサブキャリアは、ＲＵの中心サブキャリアから等しく、しかし異なる方向に離れた、ＲＵ内の２つのサブキャリアとすることが可能である。
【００７１】
送信されるべき各ＦＳＫシンボルの場合、当分野で周知のように、シンボルの情報データ（たとえば、２進ＦＳＫの場合、「０」または「１」）は対応するＦＳＫシンボル周波数にマッピングされる。これはステップ３２０に示され、典型的には、（図２の２３２および２３３に比べて）近接するサブキャリアのセット内の対応するサブキャリアに情報データをマッピングすることを含む。
【００７２】
ステップ３３０において、送信されるべきＦＳＫシンボルの始端におけるＦＳＫ信号位相が、直前のＦＳＫシンボルの終端におけるＦＳＫ信号位相に関して位相差基準に合致するように、ＦＳＫシンボル位相が選択される。ステップ３３０の選択は、本明細書において後に実例が示されるように、様々なやり方で実装することができる。
【００７３】
次いで、ステップ３４０において、ＦＳＫ信号生成は、選択されたＦＳＫシンボル位相に基づいて、ＦＳＫシンボル周波数に対応するサブキャリアを変調することを含む。ＦＳＫ信号の送信に割り当てられたセットの残りのサブキャリアは、現行のシンボルの間、ミュートされる。典型的には、ＯＦＤＭ信号（および、それによるＦＳＫ信号）は、ＩＦＦＴ変調器を使用して生成することができる。次いで、選択されたＦＳＫシンボル位相に基づくＦＳＫシンボル周波数に対応するサブキャリアを変調することは、ＩＦＦＴ変調器へのそのサブキャリアのための入力を、選択されたＦＳＫシンボル位相に等しい位相を伴う複素数にすることを含むことができ、また、セットの残りのサブキャリアをミュートすることは、それらのサブキャリアのためのＩＦＦＴ変調器への入力をゼロに等しくすることを含むことができる。
【００７４】
生成されたＯＦＤＭ信号は、典型的には、シンボルのために生成された後にシンボルごとに送信される。これは図３のステップ３５０によって示されている。
【００７５】
次いで、ステップ３２０、３３０、３４０、および３５０は、次のＦＳＫシンボルに対して反復可能である。実際には、マッピング、選択、生成、および送信のステップは、部分的または完全に並列に、非常に良好に実施可能であり、各ステップはＦＳＫ信号の異なるＦＳＫシンボルを処理することに留意されたい。
【００７６】
ステップ３３０に従い、ＦＳＫシンボル位相は、送信されるべきＦＳＫシンボルの始端におけるＦＳＫ信号位相が、直前のＦＳＫシンボルの終端におけるＦＳＫ信号位相に関して位相差基準に合致するように、選択されるべきである。
【００７７】
理想的な選択手法と呼ぶことができる典型的な例において、位相差基準は、送信されるべきＦＳＫシンボルの始端におけるＦＳＫ信号位相が、直前のＦＳＫシンボルの終端におけるＦＳＫ信号位相に等しいことを含むことができる。したがって、ＦＳＫ信号位相は、シンボル境界において不連続性が発生しないように選択される。
【００７８】
いくつかの実装において、こうした正確な選択は、不可能である（たとえば、使用可能な位相が限られた数しか存在しない場合、典型的にはＰＳＫ信号コンステレーションと同様に指定される）か、または面倒である（たとえば、かなりの複雑さを必要とする）可能性がある。次いで、結果が理想的な選択手法にできる限り近くなるように、ＦＳＫ信号位相を選択することが望ましい可能性がある。これらのシナリオにおいて、位相差基準のいくつかの定義が可能であり、下記に数例を示す。
【００７９】
第１の例において、位相差基準は、絶対位相差が位相差閾値よりも小さいことを含むことができ、絶対位相差は、送信されるべきＦＳＫシンボルの始端におけるＦＳＫ信号位相と、直前のＦＳＫシンボルの終端におけるＦＳＫ信号位相との間で決定される。したがって、ＦＳＫ信号位相は、不連続性の絶対値が閾値よりも小さいように選択される。
【００８０】
第２の例（第１の例と重複する可能性がある）において、ＦＳＫ信号位相は、限定数の使用可能な位相（たとえば、ＰＳＫ信号コンステレーションの位相）から選択される。理想的な選択手法の位相に最も近い位相が選択可能であり、すなわち、選択された位相と直前のＦＳＫシンボルの終端におけるＦＳＫ信号位相との間の絶対位相差は、任意の他の使用可能な位相と直前のＦＳＫシンボルの終端におけるＦＳＫ信号位相との間の絶対位相差よりも小さい。たとえばこれは、任意の使用可能な位相と直前のＦＳＫシンボルの終端におけるＦＳＫ信号位相との間のすべての絶対位相差を比較すること、および、最小の絶対位相差に対応する位相を選択することによって、達成可能である。
【００８１】
ＦＳＫ信号はＯＦＤＭ信号に含まれるものとして変調されるべきであるため、ＦＳＫシンボル位相の選択は、典型的には、ＦＳＫシンボル位相を決定するためにＦＳＫシンボルの始端におけるＦＳＫ信号位相を関係付けること（たとえば、変換すること）を含む。こうした変換は、典型的には、サイクリックプレフィックスの長さ（持続時間）、サイクリックプレフィックスを伴わないＯＦＤＭシンボルの長さ（持続時間）、およびＦＳＫシンボル周波数のうちの、１つまたは複数を考慮することができる。
【００８２】
たとえば、ＦＳＫシンボル位相を選択することは、ＦＳＫシンボル位相を、送信されるべきＦＳＫシンボルの始端におけるＦＳＫ信号位相に、補償タームを加えたものに等しくさせることを含むことができ、補償タームは、サイクリックプレフィックスの持続時間とサイクリックプレフィックスを伴わないＯＦＤＭシンボルの持続時間との間の比率、およびＦＳＫシンボル周波数と近接するサブキャリアのセットの中心周波数との間の差に基づく。
【００８３】
典型的には、補償タームは、サイクリックプレフィックスの間にどの程度位相が変化するかを考慮する。したがって、ＦＳＫシンボル位相は、典型的には、（上記で説明したような位相差基準に従って、直前のＦＳＫシンボルの終端におけるＦＳＫ信号位相に等しいか、または少なくとも同様の）ＦＳＫシンボルの始端におけるＦＳＫ信号位相に、サイクリックプレフィックスの間に発生する位相遷移の表現である補償タームを加えたものとして、選択することができる。位相遷移は、サイクリックプレフィックスの持続時間とＦＳＫシンボルの（すなわち、対応するサブキャリアの）周波数との間の積の計算を介して決定可能である。典型的には、ＦＳＫシンボルの周波数は、ベースバンド信号内に現れるように、すなわち、直流（ＤＣ）サブキャリアに関係して、得ることができる。
【００８４】
したがって、ＦＳＫシンボルｋの始端におけるＦＳＫ信号位相が、
2020518176.tif 000003
と示される場合、（図２の２４１に比べて）サイクリックプレフィックスの持続時間はＴＣＰと示され、ＦＳＫシンボルｋの周波数に対応するサブキャリアの周波数はｆｋと示され、ＦＳＫシンボルｋについてのＦＳＫシンボル位相は、引数
2020518176.tif 000004
として選択可能であり、上式でＭｋはＩＦＦＴへの入力として使用可能な複素数である。
【００８５】
下記の実証部分において、ＦＳＫシンボルの始端におけるＦＳＫ信号位相
2020518176.tif 000005
は、直前のＦＳＫシンボルの終端におけるＦＳＫ信号位相
2020518176.tif 000006
に等しく、したがって、引数
2020518176.tif 000007
であるとする。（図２の２４２に比べて）サイクリックプレフィックスを伴わないＯＦＤＭシンボルの持続時間は、Ｔｕと示される。
【００８６】
この例では、１つのアクティブなサブキャリアのみを含むＯＦＤＭシンボルが考えられる。これは、ＯＦＤＭ送信器によるＦＳＫ生成の例示目的としては十分である。より一般的に言えば、ＦＳＫシグナリングのために割り当てられたＲＵ内での、１つのアクティブなサブキャリアのみを伴うＯＦＤＭシンボルの生成を想定することができる。
【００８７】
この例において、シンボルＳｋ−１とＳｋとの間の連続位相を取得するために、経時的な（時間がサイクリックプレフィックスの終端からシンボルの終端へと進む）Ｓｋの下記の式を考えることができる。
Ｓｋ（ｔ）＝Ｍｋｅｘｐ（ｉ２πｄｋｎｋΔｆｔ）、０≦ｔ≦Ｔｕ
【００８８】
上式で、ｄｋは（「０」または「１」が論理的に搬送されるべきか否かに依存して）＋１または−１に対応する２進データを示し、Δｆはサブキャリア間隔を示し、ｎｋはＦＳＫシンボル周波数に対応するサブキャリア（ＤＣサブキャリアに関してカウントされる）を示す。次いで、ＦＳＫシンボルｋの始端におけるＦＳＫ信号位相は、下記のようになる。
2020518176.tif 000008
【００８９】
したがって、この例に従い、またΔｆ＝１／Ｔｕ’とすると、ＦＳＫシンボル位相は、以下のように選択されるべきである。
2020518176.tif 000009
【００９０】
多くの実践的なシステムでは、比率
2020518176.tif 000010
は整数である。この場合、結果として生じる位相は有限セット内となり、典型的には任意の適用可能コンステレーションサイズのＰＳＫに使用される共通変調シンボルに対応する。たとえば、
2020518176.tif 000011
、
2020518176.tif 000012
および
2020518176.tif 000013
の場合、可能な位相のセットは、
2020518176.tif 000014
とすることができる。
【００９１】
2020518176.tif 000015
が整数でない場合、結果として生じる可能な位相のセットは無限とすることができる。次いで、ＰＳＫ信号コンステレーションの最も近い信号ポイントを近似として使用することが可能であるか、または、ＰＳＫ信号コンステレーションからの信号ポイントを使用するのではなく、あらゆるシンボルについて正確な位相の値を計算することが可能である。
【００９２】
図４は、いくつかの実施形態による、例示の装置４００の概略図である。装置４００は、ＯＦＤＭＡ送信器および／またはアクセスポイント（またはネットワークノード）のためのものであり、それらに含まれることが可能である。装置４００は、たとえば、図３に関連して説明したような方法を実行させるように設定可能である。
【００９３】
装置は、複数のサブキャリアを含む、ＯＦＤＭ信号に含まれるＦＳＫ信号の生成のためのものである。装置は、少なくとも図３の方法ステップ３１０、３３０、および３４０を実行させるように設定されたコントローラ（ＣＮＴＲ）４２０を含む。
【００９４】
いくつかの実施形態において、コントローラは、スケジューラ（ＳＣＨ）４４０、信号生成器（ＧＥＮ）４３０、位相セレクタ（ＰＳ）４２５、および送信器（ＴＸ）４１０のうちの１つまたは複数を含むか、またはそうでなければこれらに関連付けることができる。
【００９５】
コントローラ４２０は、セットが複数のサブキャリアのサブセットであるＦＳＫ信号の送信に、近接するサブキャリアのセットを割り当てること、および、各ＦＳＫシンボル周波数を近接するサブキャリアのセット内の対応するサブキャリアに関連付けること、を実行させるように設定可能である。こうした割り当ておよび関連付けは、たとえば、スケジューラ４４０によって実行可能である。
【００９６】
コントローラ４２０は、送信されるべき各ＦＳＫシンボルについて、送信されるべきＦＳＫシンボルの始端におけるＦＳＫ信号位相が、直前のＦＳＫシンボルの終端におけるＦＳＫ信号位相に関して位相差基準に合致するように、ＦＳＫシンボル位相を選択することを実行させるようにも設定可能である。こうした選択は、たとえば位相セレクタ４２５によって実行可能である。
【００９７】
さらに、コントローラ４２０は、ＦＳＫシンボル位相に基づくＦＳＫシンボル周波数に対応するサブキャリアの変調、および、セットの残りのサブキャリアをミュートすることによって、送信されるべきＦＳＫシンボルを含むＦＳＫ信号を生成することを実行させるように設定可能である。こうした生成は、たとえば、信号生成器（たとえば、ＩＦＦＴ変調器を含む）によって実行可能である。
【００９８】
コントローラは、生成されたＯＦＤＭ信号を送信することを実行させるようにも設定可能である。送信は、たとえば送信器４１０によって実行可能である。
【００９９】
図５は、いくつかの実施形態による、ＯＦＤＭ信号に含まれるＦＳＫ信号を生成するための例示の送信器チェーンを概略的に示す。たとえば、送信器チェーンは、図４の信号生成器４３０および送信器４１０の実装を表すことができる。
【０１００】
例示の送信器チェーンは、ＩＦＦＴ５１０、サイクリックプレフィックス加算器（ＣＰ）５２０、デジタル−アナログ変換器（ＤＡＣ）５３０、ミキサ（ＭＩＸ）、および電力増幅器（ＰＡ）５５０を含む。これらの機能ブロックのすべてが、当分野で周知の従来の様式で動作可能である。
【０１０１】
しかしながら、近接するサブキャリアのセットをＦＳＫ信号の送信に割り当てることが可能であり、各ＦＳＫシンボル周波数を近接するサブキャリアのセット内の対応するサブキャリアに関連付けることが可能である。割り当てられた近接するサブキャリアのセットに対応するＩＦＦＴの入力（５０２）を使用して、前述のようなＦＳＫ信号が生成され、ＩＦＦＴの他の入力（５０１、５０３）を使用して、ＯＦＤＭ信号の従来の部分が生成される。
【０１０２】
図６は、いくつかの実施形態による、例示の利点を示すペアまたはプロットである。プロットは、不連続性を回避するための努力が行われない場合（左）、および、本明細書で説明する方法を使用して不連続性が軽減される場合（右）の、送信された信号のパワースペクトル密度を示す。両方のプロットについて、参照番号６００および６１０によって、−５０ｄＢｍのパワースペクトル密度値が示される。図を見るとわかるように、これは、不連続性を軽減することによって、パワースペクトル密度を著しく向上させることができることを実証している。
【０１０３】
説明される実施形態およびそれらの等価物は、ソフトウェアまたはハードウェアあるいはそれらの組み合わせにおいて実現可能である。実施形態は汎用回路要素によって実行可能である。汎用回路要素の例は、デジタル信号プロセッサ（ＤＳＰ）、中央処理ユニット（ＣＰＵ）、コプロセッサユニット、フィールドプログラマブルゲートアレイ（ＦＰＧＡ）、および他のプログラマブルハードウェアを含む。代替または追加として、実施形態は、特定用途向け集積回路（ＡＳＩＣ）などの専用回路要素によって実行可能である。汎用回路要素および／または専用回路要素は、たとえば、ネットワークノード（アクセスポイント）などの装置に関連付けられるか、またはそれらに含まれることが可能である。
【０１０４】
実施形態は、本明細書で説明される実施形態のいずれかに従って、装置、回路要素、および／または論理を含む（ネットワークノードなどの）電子装置内に出現可能である。代替または追加として、（ネットワークノードなどの）電子装置は、本明細書で説明される実施形態のいずれかに従って、方法を実行するように設定可能である。
【０１０５】
いくつかの実施形態に従い、コンピュータプログラム製品は、たとえば、ユニバーサルシリアルバス（ＵＳＢ）メモリ、プラグインカード、組込み型ドライブ、または読み取り専用メモリ（ＲＯＭ）などの、コンピュータ可読媒体を含む。図７は、コンパクトディスク（ＣＤ）ＲＯＭ７００の形の例示のコンピュータ可読媒体を示す。コンピュータ可読媒体は、プログラム命令を含むコンピュータプログラムを記憶している。コンピュータプログラムは、たとえば、ネットワークノード７１０に含めることが可能なデータプロセッサ（ＰＲＯＣ）７２０にロード可能である。データ処理ユニットにロードされた場合、コンピュータプログラムは、データ処理ユニットに関連付けられるかまたは含まれる、メモリ（ＭＥＭ）７３０内に記憶することができる。いくつかの実施形態によれば、コンピュータプログラムは、データ処理ユニットにロードされ、データ処理ユニットによって実行される場合、たとえば図３に示される方法に従って方法ステップを実行させることができる。
【０１０６】
本明細書では、様々な実施形態について言及してきた。しかしながら、当業者であれば、説明された実施形態に対する依然として特許請求の範囲内に入る多数の変形を理解されよう。たとえば、本明細書で説明される方法実施形態は、ある順序で実行されるステップを介して例示的な方法を開示している。しかしながら、これらのイベントのシーケンスは、特許請求の範囲から逸脱することのない別の順序で実施可能であることを理解されよう。さらにいくつかの方法ステップは、たとえ順番に実行されるように説明されている場合であっても、並行して実行可能である。
【０１０７】
同様に、実施形態の説明において、機能ブロックを特定のユニットに区分することは、決して限定することを意図していないことに留意されたい。これに反して、これらの区分は単なる例である。本明細書で１つのユニットとして説明される機能ブロックは、２つ以上のユニットに分割することができる。さらに、本明細書で２つまたはそれ以上のユニットとして実装されるように、説明される機能ブロックを、より少ない（たとえば単一の）ユニットに統合することができる。
【０１０８】
したがって、説明される実施形態の細部は例示的目的で提案されたものであり、特許請求の範囲に入るすべての変形は受け入れられるものと意図されることを理解されたい。
【図１】
2020518176.tif 000016
【図２】
2020518176.tif 000017
【図３】
2020518176.tif 000018
【図４】
2020518176.tif 000019
【図５】
2020518176.tif 000020
【図６】
2020518176.tif 000021
【図７】
2020518176.tif 000022
【国際調査報告】
2020518176.tif 000023
2020518176.tif 000024